(57)【要約】【課題】より精度よく定量の内容物を吐出可能な定量吐出容器を提供する。【解決手段】定量吐出容器１は、内容物が収容される容器本体１０と、容器本体の口部１３に装着され、かつ吐出孔４０ａが設けられたキャップ本体２０と、を備え、容器本体には、容器軸Ｏ方向に伸縮する伸縮部１２が設けられ、キャップ本体には、吐出孔を開放可能に閉塞するスリットバルブ５０が設けられている。【選択図】図１
2019064627.tif 000002
【特許請求の範囲】
【請求項１】
内容物が収容される容器本体と、
前記容器本体の口部に装着され、かつ吐出孔が設けられたキャップ本体と、を備え、
前記容器本体には、容器軸方向に伸縮する伸縮部が設けられ、
前記キャップ本体には、前記吐出孔を開放可能に閉塞するスリットバルブが設けられていることを特徴とする、定量吐出容器。
【請求項２】
前記キャップ本体に着脱自在に設けられるとともに、前記キャップ本体を覆う有頂筒状の蓋体をさらに備え、
前記蓋体の頂壁には、下方に向けて延び、かつ前記スリットバルブを開放状態にする芯体が設けられていることを特徴とする、請求項１に記載の定量吐出容器。
【請求項３】
前記キャップ本体には、前記吐出孔から吐出された内容物を受ける相手側容器の口部内に嵌合されるガイド部が設けられていることを特徴とする、請求項１または２に記載の定量吐出容器。
【発明の詳細な説明】
【技術分野】
【０００１】
本発明は、定量吐出容器に関する。
【背景技術】
【０００２】
従来から、下記特許文献１に示されるような定量吐出容器が知られている。この定量吐出容器は、容器軸方向に伸縮する伸縮部を有する容器本体を備えており、伸縮部が収縮して容器本体の内容積が減少することで、所定量の内容物が吐出されるように構成されている。
【先行技術文献】
【特許文献】
【０００３】
【特許文献１】特許第５０４６８７６号公報
【発明の概要】
【発明が解決しようとする課題】
【０００４】
この種の定量吐出容器では、より精度よく定量の内容物を吐出させることが求められている。
【０００５】
本発明はこのような事情を考慮してなされたもので、より精度よく定量の内容物を吐出可能な定量吐出容器を提供することを目的とする。
【課題を解決するための手段】
【０００６】
上記課題を解決するために、本発明の定量吐出容器は、内容物が収容される容器本体と、前記容器本体の口部に装着され、かつ吐出孔が設けられたキャップ本体と、を備え、前記容器本体には、容器軸方向に伸縮する伸縮部が設けられ、前記キャップ本体には、前記吐出孔を開放可能に閉塞するスリットバルブが設けられていることを特徴とする。
【０００７】
本発明の定量吐出容器によれば、容器本体を倒立させて容器本体の底部を押圧し、伸縮部を容器軸方向に収縮させると、容器本体の内容積が減少することで、内容物に対して圧力が加えられる。また、内容物による圧力を受けることで、スリットバルブのスリットが開口し、内容物が吐出孔から吐出される。従って、容器本体を倒立させる過程で吐出孔から内容物が不意に吐出されることが抑えられるとともに、伸縮部の収縮量に応じた量の内容物を、精度よく吐出させることができる。
また、容器本体の底部を押圧することで内容物が吐出されるため、例えば容器本体を振って内容物を取り出す場合などと比較して、吐出された内容物が飛散することが抑えられる。
【０００８】
ここで、前記定量吐出容器は、前記キャップ本体に着脱自在に設けられるとともに、前記キャップ本体を覆う有頂筒状の蓋体をさらに備え、前記蓋体の頂壁には、下方に向けて延び、かつ前記スリットバルブを開放状態にする芯体が設けられていてもよい。
【０００９】
この場合、蓋体がキャップ本体に装着されると、芯体によってスリットバルブのスリットが開口した状態が維持される。このため、例えば定量吐出容器を長期間使用しない場合に、スリットの開口縁同士が密着してしまうことが抑えられる。従って、定量吐出容器を使用する際に、内容物をスムーズに吐出させることができる。
【００１０】
また、前記キャップ本体には、前記吐出孔から吐出された内容物を受ける相手側容器の口部内に嵌合されるガイド部が設けられていてもよい。
【００１１】
この場合、ガイド部が相手側容器の口部内に嵌合することで、定量吐出容器の吐出孔と相手側容器の口部との相対的な位置が定まり、相手側容器に内容物を移す際に内容物が飛散することをより確実に抑えることができる。
【発明の効果】
【００１２】
本発明によれば、より精度よく定量の内容物を吐出可能な定量吐出容器を提供することができる。
【図面の簡単な説明】
【００１３】
【図１】本実施形態に係る定量吐出容器の部分縦断面図である。
【図２】図１の吐出孔近傍の拡大図である。
【図３】図１の定量吐出容器の使用状態を示す図である。
【発明を実施するための形態】
【００１４】
以下、本実施形態の定量吐出容器について、図面に基づいて説明する。なお、以下の説明で用いる図面は、特徴をわかりやすくするために、便宜上特徴となる部分を拡大して示している場合があり、各構成要素の寸法比率などが実際と同じであるとは限らない。また、本発明は以下の実施形態に限定されない。
【００１５】
図１に示すように、定量吐出容器１は、内容物が収容される有底筒状の容器本体１０と、容器本体１０の口部１３に装着された有頂筒状のキャップ本体２０と、キャップ本体２０を覆う有頂筒状の蓋体３０と、を備えている。容器本体１０に収容される内容物は、特に限定されないが、例えば粉末、顆粒、錠剤などの固形物である内容物に対して、本実施形態の定量吐出容器１は好適に用いることができる。例えば定量吐出容器１から粉末などの固形物を所定量吐出させ、この固形物を液体に溶かすような使用方法も採用可能である。なお、内容物は固形物以外（例えばゲル状など）であってもよい。キャップ本体２０には、内容物を吐出させる吐出孔４０ａが設けられている。
【００１６】
ここで本実施形態では、容器本体１０、キャップ本体２０、および蓋体３０の各中心軸は、共通の軸線上に配置されている。以下、この共通の軸線を容器軸Ｏといい、容器軸Ｏに沿う方向を上下方向という。また、上下方向に沿う容器本体１０の底部１６側を下方といい、吐出孔４０ａ側を上方という。上下方向から見た平面視において、容器軸Ｏに交差する方向を径方向といい、容器軸Ｏ回りに周回する方向を周方向という。
【００１７】
容器本体１０は、底部１６、胴部１１、肩部１７、および口部１３が、下方から上方に向けてこの順に連設されている。容器本体１０は、合成樹脂材料を材質とし、例えば押出ブロー成形などにより一体に形成されている。口部１３には、径方向外側に向けて突出する被嵌合部１５が形成されている。口部１３と肩部１７との間には、径方向外側に向けて突出するネックリング１４が形成されている。
ここで、本実施形態の容器本体１０の胴部１１には、容器軸Ｏ方向に伸縮可能な、蛇腹状の伸縮部１２が設けられている。伸縮部１２は、胴部１１の下端部に位置している。
【００１８】
キャップ本体２０の周壁２１には、径方向内側に向けて突出する嵌合部２１ａが形成されている。嵌合部２１ａは、容器本体１０の被嵌合部１５にアンダーカット嵌合している。なお、キャップ本体２０は容器本体１０の口部１３に螺着されていてもよい。キャップ本体２０の天壁２２には、下方に向けて延びる嵌合筒部２３および取付筒部２４と、上方に向けて延びるガイド部２５および案内筒部２６と、が形成されている。嵌合筒部２３は、容器本体１０の口部１３内に嵌合されている。取付筒部２４内には、後述する吐出筒部材４０が取り付けられている。図２に示すように、取付筒部２４の内周面には、径方向内側に向けて突出する保持突起２４ａが形成されている。
【００１９】
ガイド部２５は筒状に形成されており、案内筒部２６の径方向外側に位置している。案内筒部２６内は、後述するスリットバルブ５０および吐出筒部材４０を介して、取付筒部２４内に連通している。案内筒部２６は、キャップ本体２０の天壁２２に接続された下筒部２６ａと、下筒部２６ａから上方に向けて延びる上筒部２６ｂと、を有している。下筒部２６ａの内径は取付筒部２４の内径よりも小さく、下筒部２６ａと取付筒部２４との接続部には段差が設けられている。上筒部２６ｂの内径は下筒部２６ａの内径よりも小さい。また、上筒部２６ｂの外径は下筒部２６ａの外径よりも小さいため、下筒部２６ａと上筒部２６ｂとの接続部には段部が形成されている。上筒部２６ｂの上端部には、上方に向かうに従って漸次径方向外側に向けて延びるリップ部が形成されている。上筒部２６ｂの上端開口（以下、案内孔２６ｃという）は、後述する弁部５３よりも上方に位置している。
【００２０】
図２に示すように、吐出筒部材４０は、取付筒部２４内に嵌合された環状部４１と、環状部４１の内周縁から上方に向けて延びる吐出筒４２と、を有している。吐出筒４２の上端開口が、先述の吐出孔４０ａである。環状部４１の外径は、下筒部２６ａの内径よりも大きい。環状部４１は、取付筒部２４の保持突起２４ａと下筒部２６ａの下端部との間で保持されている。なお、吐出筒部材４０は、キャップ本体２０と一体に形成されていてもよい。
【００２１】
蓋体３０は、キャップ本体２０に着脱自在に設けられている。図１に示すように、蓋体３０は、ヒンジＨを介してキャップ本体２０に連結されている。なお、蓋体３０はキャップ本体２０と別体であってもよい。蓋体３０は、ヒンジＨを中心として、キャップ本体２０に対して上方に回動可能に設けられている。蓋体３０の頂壁３２には、下方に向けて延びる閉塞筒部３４および円柱状の芯体３５が設けられている。芯体３５は、頂壁３２における径方向中央部に位置している。芯体３５の下端部は、下方に向かうに従って漸次縮径している。芯体３５の下端は、後述するスリットバルブ５０の弁部５３よりも下方に位置している。
【００２２】
閉塞筒部３４は、芯体３５の径方向外側に位置している。閉塞筒部３４は案内筒部２６の上筒部２６ｂ内に嵌合されており、これによって案内筒部２６の案内孔２６ｃが閉塞されている。蓋体３０の周壁３１における下端部には、径方向外側に向けて突出する操作部３３が形成されている。操作部３３は、径方向において、容器軸Ｏを挟んだヒンジＨの反対側に配設されている。
【００２３】
キャップ本体２０の案内筒部２６内には、スリットバルブ５０が配設されている。スリットバルブ５０は、例えばゴムやエラストマーなどの軟材質により形成されており、弾性変形可能である。図２に示すように、スリットバルブ５０は、厚肉の基筒部５１と、基筒部５１から上方に向けて延びる支持筒部５２と、支持筒部５２の上端部から径方向内側に向けて延びる膜状の弁部５３と、を有している。基筒部５１、支持筒部５２、および弁部５３は、容器軸Ｏと同軸上に配置されている。基筒部５１は、径方向において、吐出筒４２と下筒部２６ａとの間に位置している。支持筒部５２は、径方向において、吐出筒４２と上筒部２６ｂとの間に位置している。支持筒部５２の肉厚は、基筒部５１の肉厚よりも小さい。支持筒部５２は、弁部５３を支持している。
【００２４】
弁部５３は、吐出筒４２を、吐出筒４２の上方から覆っている。弁部５３の外径は、吐出孔４０ａの内径および吐出筒４２の上端部における外径よりも大きい。弁部５３は、上下方向において、吐出筒４２の上端部と案内筒部２６の上端部との間に位置している。弁部５３には、この弁部５３を上下方向に貫通するスリット５３ａが形成されており、スリット５３ａの開口および閉塞によって、吐出孔４０ａを通じた容器本体１０内と外部との連通および遮断を切り替えることができる。すなわち、スリットバルブ５０の弁部５３は、吐出孔４０ａを開放可能に閉塞している。スリット５３ａの形状は、特に限定されないが、例えば上面視で容器軸Ｏを中心とした十字状若しくは放射線状であってもよい。あるいは、上面視で一文字状に延びるスリット５３ａを採用してもよい。
【００２５】
次に、以上のように構成された定量吐出容器１の作用について説明する。以下では、定量吐出容器１の内容物を、別の相手側容器６０に移し替える場合を例にする。なお、内容物を単に吐出させる場合についても、以下と同様の操作によって、定量吐出容器１から内容物を吐出させることができる。
【００２６】
蓋体３０の操作部３３を摘むなどして、蓋体３０をヒンジＨ回りに上方に回動させると、芯体３５が弁部５３から上方に離間する。これにより、弁部５３のスリット５３ａが閉じられて、吐出孔４０ａが弁部５３によって閉塞された状態となる。
次に、図３に示すように、定量吐出容器１を倒立させて、吐出孔４０ａを相手側容器６０の口部６１内に位置させる。このとき、定量吐出容器１のガイド部２５は、相手側容器６０の口部６１内に嵌合する。また、キャップ本体２０の天壁２２が、相手側容器６０の口部６１の上面に接触し、定量吐出容器１の自重が相手側容器６０によって支持される。
【００２７】
次に、容器本体１０の底部１６を押圧して、伸縮部１２を容器軸Ｏ方向に収縮させる。このとき、キャップ本体２０の天壁２２が相手側容器６０の口部６１の上面に接触していることで、伸縮部１２を容易に収縮させることができる。なお、例えば肩部１７を支持しながら底部１６を押圧することで、伸縮部１２を収縮させてもよい。
伸縮部１２が収縮することで、容器本体１０の内容積が減少すると、容器本体１０の内容物に圧力が加えられる。内容物の圧力を受けることで、弁部５３のスリット５３ａが開口し、内容物が吐出される。このとき、容器本体１０の内容積の減少量に応じた量の内容物が吐出孔４０ａから吐出されるため、所定量の内容物を容器本体１０から相手側容器６０へと移し替えることができる。
【００２８】
以上説明したように、本実施形態の定量吐出容器１によれば、容器本体１０の底部１６を押圧するまで、吐出孔４０ａが弁部５３によって閉塞された状態が維持される。このため、定量吐出容器１を倒立させる過程で、不意に内容物が吐出されてしまうことが抑えられるとともに、伸縮部１２の体積の減少量に応じた量の内容物を吐出させることができる。従って、より精度よく定量の内容物を吐出させることができる。さらに、伸縮部１２の伸縮量を変更することで、定量吐出容器１の目的に合わせて、容易に吐出量を変更することができる。
【００２９】
また、本実施形態の定量吐出容器１では、容器本体１０の底部１６を押圧することで内容物を吐出させるため、例えば容器内の内容物を小さじですくったり、容器を傾けて叩きながらまたは振りながら内容物を取り出すなどの使用方法と比較して、内容物を取り出す際に内容物が飛び散ってしまうことが抑えられる。
【００３０】
さらに、キャップ本体２０には、吐出孔４０ａから吐出された内容物を受ける相手側容器６０の口部６１内に嵌合するガイド部２５が設けられている。このため、底部１６を押圧する際に、吐出孔４０ａと相手側容器６０の口部６１との相対的な位置が定まるとともに、閉鎖された空間内で内容物を移し替えることが可能となり、内容物の飛散をより確実に抑えることができる。
【００３１】
また、蓋体３０に芯体３５が設けられているため、定量吐出容器１を保管する際に、スリットバルブ５０の弁部５３を開放状態にすることができる。これにより、例えば定量吐出容器１を長期間使用しない場合に、スリット５３ａの開口縁同士が密着して内容物が吐出されにくくなってしまうことが抑えられる。
【００３２】
また、伸縮部１２が収縮した際に、内容物が吐出筒部材４０の吐出筒４２を通じて弁部５３の径方向中央部へと導入される。これにより、弁部５３のスリット５３ａを確実に開口させて、内容物をスムーズに吐出させることができる。
【００３３】
また、案内筒部２６がスリットバルブ５０を径方向外側から囲繞するとともに、案内筒部２６の案内孔２６ｃが弁部５３よりも上方に位置していることで、吐出孔４０ａおよび弁部５３を通じて吐出された内容物が、案内筒部２６によって案内される。これにより、内容物の飛散をより確実に抑えることができる。
【００３４】
なお、本発明の技術的範囲は前記実施の形態に限定されるものではなく、本発明の趣旨を逸脱しない範囲において種々の変更を加えることが可能である。
【００３５】
例えば、前記実施形態では、蓋体３０がヒンジＨ回りに回動するように設けられていたが、例えばキャップ本体２０に螺着される蓋体３０を採用してもよい。
また、キャップ本体２０には案内筒部２６が設けられていなくてもよい。
また、蓋体３０には芯体３５が設けられていなくてもよい。
【００３６】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００３７】
１…定量吐出容器  １０…容器本体  １１…胴部  １２…伸縮部  １３…口部  ２０…キャップ本体  ２５…ガイド部  ３０…蓋体  ３２…頂壁  ３５…芯体  ４０…吐出筒部材  ４０ａ…吐出孔  ５０…スリットバルブ  ５３ａ…スリット  ６０…相手側容器  ６１…口部
【図１】
2019064627.tif 000003
【図２】
2019064627.tif 000004
【図３】
2019064627.tif 000005